(57)【要約】【課題】  隣接島の上部タンク位置がずれて、島間のパチンコ玉量をバランスさせるバランス樋が斜めに配置されても滑らかにパチンコ玉を供給可能とする。【解決手段】  上部タンク本体４１に対してバランスユニット１が支持軸５６により回動可能に設けられる。バランスユニットは、シャッタ１２で開閉可能の取り入れ口７とバランス樋６０上へ向けた吐出し口９を有し、シャッタ１２の位置から上部タンク本体内のサブ貯留部４５の供給口４６の下面と重なる位置まで延びる接続プレート５３を備える。供給口にヒンジ連結された揺動プレート４８の先端が取り入れ口側のガイドブラケット５０のガイド孔に保持されている。これにより、バランスユニット１を回動させて斜めに配置されるバランス樋に整合させることができるとともに、接続プレート５３と揺動プレート４８とで形成される案内通路によりパチンコ玉が供給口から取り入れ口へ確実に供給される。【選択図】        図１４
2005278695.tif 000002
【特許請求の範囲】
【請求項１】
隣接する各島の上部に設けられた上部タンク間でバランス樋を介してパチンコ玉を流動可能としたパチンコ島間の玉供給装置であって、
各上部タンクは、上部タンク本体に対して上下の回転軸まわりに回動可能にバランスユニットを設け、
該バランスユニットは、パチンコ玉を受け入れ可能な取り入れ口と、受け入れたパチンコ玉をバランス樋上へ吐き出す吐出し口とを有することを特徴とするパチンコ島間の玉供給装置。
【発明の詳細な説明】
【技術分野】
【０００１】
本発明は、パチンコ島内を循環するパチンコ玉の量を各島間でバランスさせるため、バランス樋で島間をつないだパチンコ島間の玉供給装置に関する。
【背景技術】
【０００２】
例えばパチンコ店ではパチンコ台を並べたパチンコ島（以下、単に島という）を複数配置し、各島には遊技客が獲得した景品玉を数える計数機を適宜数設置して、パチンコ玉の返却を受けるようになっている。
ここで遊技客が獲得したパチンコ球が常に当該客が遊戯した島の計数機へ返却されれば、島におけるパチンコ玉の貯留量はほぼ安定することになるが、混雑等によって必ずしも遊戯した島の計数機へ返却されるとは限らないため、島間での貯留量バランスが崩れ、島によっては玉不足になるなどの問題が発生する。
この対策として、例えば、実用第２５３９４２８号公報に玉均等装置が提案されている。
【０００３】
この装置では、島を形成するパチンコ台列の上部に上部タンクが配置されるとともに、パチンコ台列の下部には玉貯留タンクが配置され、各島の玉貯留タンクに貯留量を検知するセンサ装置を設け、上部タンクにはシャッタを設けてある。上部タンクからは島内の各パチンコ台へパチンコ玉が供給され、パチンコ台を通過したパチンコ玉は島のほぼ中央下部に集められて玉揚送装置により再び上部タンクへ循環される。また必要に応じて玉貯留タンクからも玉揚送装置を経て上部タンクへパチンコ玉が供給される一方、上部タンクからあふれたパチンコ玉は玉貯留タンクへ送られる。
【０００４】
そして、島間には互いの上部タンクの各一方の高位置と他方の低位置とをつないで傾斜しＸ字状に交差する２本ずつの玉通路を設けて、玉貯留タンク内のパチンコ玉が所定の下限量より少なくなるとセンサ装置から要求信号が出て、シャッタが制御されて多い側の上部タンクから不足の側の上部タンクへ玉通路を介してパチンコ玉を供給するものとしている。
【０００５】
しかし、上記装置の玉通路は各２本でＸ字状を呈しているため、上下方向にも、幅方向にも大きなサイズとなって遊技客の頭上空間を横切るので、美観上好ましくない。
そこで、本出願人は先に特開２００３−２６０２５２号公報により、各島の上部タンク間を水平な１本のバランス樋でつないで、島間のパチンコ玉の量をバランスさせるようにしたバランス装置を提案している。
この装置では、一方の上部タンクのシャッタが開かれると、供給通路に入ったパチンコ玉が所定量自由落下して加速されるとともに、湾曲面でバランス樋方向へ案内されて吐出し口からバランス樋上へ吐き出される。これにより、パチンコ玉はバランス樋上に滞留することなく転動して他方の上部タンクへ供給される。
【特許文献１】実用第２５３９４２８号公報
【特許文献２】特開２００３−２６０２５２号公報
【発明の開示】
【発明が解決しようとする課題】
【０００６】
上記装置のいずれにおいても、各島における上部タンクは互いに隣接の島の上部タンクと真正面に対向する位置にあって、各上部タンク間をつなぐ玉通路あるいはバランス樋は、島の長手方向すなわちパチンコ台列の延び方向に対して直角に設置されることを前提としている。
このため、上部タンクのシャッタに連なる吐出し口は当該上部タンクに対して固定的に設定され、吐出し口は島の長手方向に対して直角の方向に向けてある。
【０００７】
ところが、パチンコ店内のレイアウトにおいては、必ずしも各島をすべて同一構成として並べることができるとは限らず、玉揚送装置および上部タンクの位置が隣接の島の上部タンクなどの位置とずれてしまう例が多い。例えば、島によって長さ（パチンコ台数）を異ならせた場合にも、当該島のパチンコ玉の消費量に応じて玉貯留タンクの長さが変わる影響を受けて玉揚送装置および上部タンクの位置が隣接の島とずれてしまうことになる。
このように隣接する島間で上部タンクの位置がずれた場合には、上部タンク間をつなぐバランス樋はやむを得ず島の長手方向に対して斜めに張り渡すことになる。
【０００８】
しかしながら、従来、上部タンクの吐出し口は島の長手方向に対して直角の向きに固定されていることから、バランス樋の配置が斜めになると吐出し口とバランス樋の接続が困難となる。
また、吐出し口とバランス樋を無理に接続したとしても、吐出し口の向きがバランス樋の方向とずれているから、吐出し口から吐き出されるパチンコ玉はバランス樋の側壁に衝突してそのエネルギーを失い、バランス樋上の滑らかな流動が妨げられる可能性がある。
【０００９】
したがって本発明は、隣接するパチンコ島間で上部タンクの位置がずれている場合にも、上部タンク間をバランス樋でつないで滑らかにパチンコ玉を供給できるようにしたパチンコ島間の玉供給装置を提供することを目的とする。
【課題を解決するための手段】
【００１０】
このため、本発明は、隣接するパチンコ島の上部タンク間をバランス樋でつなぐものにおいて、各上部タンクを上部タンク本体に対して上下の回転軸まわりに回動可能にバランスユニットを設けたものとして、該バランスユニットは、パチンコ玉を受け入れ可能な取り入れ口と、受け入れたパチンコ玉をバランス樋上へ吐き出す吐出し口とを有するものとした。
【発明の効果】
【００１１】
本発明によれば、バランスユニットが上部タンク本体に対して上下の回転軸まわりに回動可能であるから、隣接する島の各上部タンクの位置が互いの真正面であるかずれているかに関わらず、バランスユニットを回動させて上部タンク同士をつなぐ方向に向けて、バランス樋を支持することができ、上部タンク本体内からのパチンコ玉を吐出し口からそのバランス樋上へ吐き出すので、なんらの障害なくバランス樋を上部タンク間に張り渡し、パチンコ玉を供給することができる。
【発明を実施するための最良の形態】
【００１２】
次に、本発明の実施の形態について説明する。
図１は実施の形態の適用対象であるパチンコ店における１つの島の側面図である。
複数のパチンコ台３２を横方向に並べて１面とするとともに、同様の面を背中合わせにして島３０が構成されている。なお、壁沿いに設置される島は１面のみとなる。
島３０のほぼ中央部には、パチンコ台列の上部に上部タンク４０が設けられ、島底部からパチンコ玉を研磨しながら上部タンク４０へ揚送する玉揚送装置３７が設置されている。パチンコ台列の下部には玉揚送装置３７を挟んでパチンコ玉を貯留する貯留タンク３４が設けられている。
貯留タンク３４の玉揚送装置３７側の一端には循環リフト３５が設けられ、貯留タンク３４の底部から当該タンク内のパチンコ玉を所定の高さに揚げ、回収樋３６ａを通して玉揚送装置３７へ供給する。
【００１３】
上部タンク４０からは島３０の長手方向に補給樋３８が延びて、詳細は図示省略するが各パチンコ台３２へパチンコ玉を補給する。また補給樋３８とほぼ平行してオーバーフロー樋３９が設けられ、上部タンク４０の容量を超えてあふれたパチンコ玉はオーバーフロー樋３９を流れてその先端から回収樋３６ｂを経て貯留タンク３４へ回収されるようになっている。
島の一端には、計数機３３が設置され、計数機３３に受け入れられたパチンコ玉は貯留タンク３４へ回収される。
【００１４】
複数の島３０が、図２に示すように、パチンコ店のスペース形状に合わせて、パチンコ台列の長さを定めて配置される。なお、個別の島、上部タンクを特定するときには参照番号３０、４０にＡ、Ｂ等の符号を付して説明する。
隣接する島３０間には、それぞれの上部タンク４０をつないで島間でのパチンコ玉貯留量のバランスをとるバランス樋６０（６０ＡＢ、６０ＢＣ、・・）が設けられている。ここでは、互いに整列させて配置した島３０Ｂ、３０Ｃの上部タンク４０Ｂ、４０Ｃは互いに真正面に向かい合っており、上部タンク間をつなぐバランス樋６０ＢＣは島の長手方向に対して直角となっている。
【００１５】
壁１００沿いの島３０Ａの一端に柱部１０２がある場合、島３０Ａは短い島となる。この短い島内に貯留タンク３４を設置するには玉揚送装置を含む上部タンク４０Ａの位置をずらす必要が生じる。
このように上部タンク４０Ａがずれた場合、島３０Ａと３０Ｂ間では上部タンク４０Ａ、４０Ｂの位置が互いにずれるから、これらをつなぐバランス樋６０ＡＢは斜めに張り渡さなくてはならない。
【００１６】
バランス樋６０（６０ＡＢ、６０ＢＣ）は、図２におけるＡ−Ａ矢視図である図３に示すように、水平に掛け渡されている。
より詳細には、上部タンク４０にはバランスユニット１が設けられ、バランス樋６０はバランスユニット１を介して支持されている。
したがって、隣接する２つの島に挟まれた島の上部タンクには各隣接する島に対応させて２つのバランスユニット１が設けられる。
【００１７】
図４は、バランスユニットまわりを示す上面図である。なお、以下には補給樋３８およびオーバーフロー樋３９との接続口は図示省略してある。
上部タンク本体４１の島長さ方向一端側において、隣接の島に対向する壁部の高さ方向中間部を切り欠いて上支持壁４２ａと下支持壁４２ｂを有する支持部４２が設けられ、バランスユニット１が支持軸５６で支持部の上支持壁４２ａと下支持壁４２ｂとに支持されて水平面内で回動可能となっている。
【００１８】
上部タンク本体４１の一方の面は玉揚送装置３７のレイアウト部分を逃げているので、玉揚送装置３７設置側の支持部４２は張出し部となっている。すなわち、支持部４２の張出し量は玉揚送装置３７の厚さと略同じで、玉揚送装置３７と上部タンク本体４１は互いに結合された状態で、全体として上面図上は略矩形の形状をなしている。
上記張出し部となった支持部４２の側壁は、バランスユニット１が所定角度αまで回動する範囲でバランスユニット１と干渉しないように切り欠いてある。所定角度としては隣接の島方向真正面から左右それぞれ４５°までで十分である。
【００１９】
バランス樋６０にそって、その下面および側面をカバーする化粧樋６５が隣接する島間に水平に設けられ、バランスユニット１は化粧樋６５の端部を支持する樋受け７０を外方へ延ばしている。
図５は化粧樋上のバランス樋の設置状態を示す断面図である。
バランス樋６０はその長手方向中央部において所定距離だけ離間させた２つの支点部材６２を下面に有している。各支点部材６２はＬ字形状でそれぞれその１辺を直角に下方へ延ばしている。バランス樋６０は、自由状態において、両支点部材６２の下端縁を化粧樋６５の底壁６６に当接させ、化粧樋の底壁６６と平行な水平姿勢を保持する。
【００２０】
図６は上部タンク本体の上壁の一部および支持部の支持壁を切り欠いて示すバランスユニットまわりの平面図であり、図７はバランスユニットまわりの縦断面図である。
上部タンク本体４１内には、メイン貯留部４３の上部空間に、玉揚送装置３７により揚送されたパチンコ玉を受け、サブ貯留部４５へパチンコ玉を案内するガイド板４４が設けられている。サブ貯留部４５はバランスユニット１に対応させて配置されパチンコ玉を貯留する。また、ガイド板４４のサブ貯留部４５へ至る間の側辺には間隙が設けられて、サブ貯留部４５へ流れるパチンコ玉の一部がメイン貯留部４３へこぼれるようになっている。
【００２１】
サブ貯留部４５は皿状に形成され、上部タンク本体４１の幅方向（島の長手方向Ｌに対して直角方向）両側に供給口４６を有している。サブ貯留部４５は各供給口４６をそれぞれ支持部４２に支持されるバランスユニット１に対応させてある。供給口４６はバランスユニット１に向かって傾斜するように、サブ貯留部４５の中央部よりも低くなっている。
供給口４６は上面図において先細となるように傾斜させた左右のサイド壁４７を備える。サイド壁４７の各先端にはそれぞれ揺動プレート４８がヒンジ連結されて、後述の接続プレート５３上で揺動可能となっている。
【００２２】
図８はバランスユニットを一部分解して示す斜視図、図９はバランスユニットの一部を構成する供給通路の斜視図である。
バランスユニット１は、上下に延びる供給通路５と、シャッタ１２と、シャッタと連動する樋作動レバー２５と、シャッタ１２を駆動する駆動部１５と、これらを囲むフレーム２を有している。
フレーム２は開口部の前面に両側辺に沿った縦長の前壁３を有している。またフレーム２の上壁と下壁にはそれぞれ支持軸５６を受ける軸受け孔４が設けられている。
【００２３】
供給通路５はとくに図９に示すように、２つの板金部材５ａ、５ｂを重ねて形成され、そのフランジ部６を前壁３に固定してフレーム２に取り付けてある。供給通路５は、その側面形状が略Ｊ字状をしており、上端部にサブ貯留部４５の供給口４６に向かって開口する取り入れ口７を備え、下部は湾曲面８を備えてその先端に前方（外方）へ向けた吐出し口９を有している。取り入れ口７に入ったパチンコ玉は自由落下する間に加速され、吐出し口９から吐き出される。
供給通路５はその取り入れ口７を形成する左右のゲート壁１０を有し、図８に示すように、シャッタ１２はゲート壁１０に挟まれた間で上下にスライドする。
フレーム２には化粧樋６５を支持する樋受け７０もフレーム２から延びている。
【００２４】
図１０は駆動部１５を供給通路側から見た図である。
駆動部１５は、まず、取付部材１６にモータ１９を取り付けて構成されている。取付部材１６はモータ１９を取り付けた主壁１６ａの両側辺を同方向に曲げて側壁１６ｂとしたコ字形状としてあり、側壁１６ｂ先端のフランジ部１７で供給通路５と同様にフレーム２に取り付けられる。
【００２５】
取付部材１６はその両側壁１６ｂの間に、スライド部材２０を支持している。スライド部材２０は、底壁２０ａと該底壁の両側辺を取付部材１６の側壁１６ｂと平行に延ばした側壁２０ｂとからなるコ字形状板材からなっている。
スライド部材２０はその側壁２０ｂから突出させたローラピン２１を取付部材１６の両側壁１６ｂに形成した長穴１８（後掲の図１２参照）に支持させ、モータ１９に取り付けた回動アーム２２とリンクレバー２３を介してリンク結合されている。そして、モータ１９の回転によって、スライド部材２０はその底壁２０ａを供給通路５の上部タンク本体４１の内部側に向いた壁面に沿わせて上下にスライドする。
シャッタ１２はスライド部材２０の上端に樹脂板１３を取り付けて構成されている。
【００２６】
以下、図１１〜１３により、バランスユニット１の全体構成の詳細とサブ貯留部４５との接続状態について説明する。図１１〜１３は、フレーム２を取り外したバランスユニット１とサブ貯留部４５を示す斜視図で、それぞれ図１１は前方側から、図１２は側方から、図１３は後方から見た図である。
樋作動レバー２５は、その中間部を取付部材１６の各側壁１６ｂのフランジ部１７近傍においてそれぞれ回転可能に支持され、後端が取付部材１６の側壁１６ｂより下方に突出したスライド部材２０の下端と回転可能に連結している。樋作動レバー２５の先端同士および後端同士を横部材２６、２７で連結し、先端同士をつなぐ横部材２６がバランス樋６０と係合可能である。
【００２７】
これにより、スライド部材２０の上下スライドにしたがってシャッタ１２が開閉するのと連動して、同じくスライド部材２０に連結した樋作動レバー２５がその中間部を支点として回動し横部材２６の高さが変化する。すなわち、シャッタ１２が閉位置（スライド部材２０が上方位置）にあるとき樋作動レバー２５の先端は低位置にあり、シャッタ１２が開位置（スライド部材２０が下方位置）になると、樋作動レバー２５の先端が高位置となる。
【００２８】
供給通路５のゲート壁１０の外面には、揺動プレート４８の先端をガイドするガイドブラケット５０が取り付けられている。ガイドブラケット５０は、ゲート壁１０にそって上下方向に延びる細幅のガイド孔５１を備え、このガイド孔５１に揺動プレート４８の先端を差し込んで保持する。
これら左右のガイドブラケット５０はその下端において接続プレート５３と一体になっている。接続プレート５３は、供給通路５の取り入れ口７からサブ貯留部４５の供給口４６へ向けて扇状に延びており、供給口４６の傾斜と整合するように傾斜している。そして接続プレート５３は、バランスユニット１を上部タンク本体４１の支持部４２に組み付けたとき供給口４６の下面に重なるように設定されている。
【００２９】
以上のように構成されたバランスユニット１は、上部タンク本体４１の支持部４２の開口から差し込んで組み付けられる。この組み付けは、上部タンク本体側のサブ貯留部４５のサイド壁４７にヒンジ連結された揺動プレート４８の先端を、ガイドブラケット５０のガイド孔５１に挿し込みながら行なう。バランスユニット１は支持部４２の上支持壁４２ａと下支持壁４２ｂを貫通してフレーム２の軸受け孔４に差し込まれる支持軸５６によって、回動自在となる。
【００３０】
この組み付け状態において、図１４の（ａ）、（ｂ）のようにバランスユニット１を任意の向きに回動させると、揺動プレート４８はその先端をガイド孔５１に保持しているガイドブラケット５０が回動移動するのに伴って供給口４６側のヒンジを軸に揺動する。ガイドブラケット５０と一体の接続プレート５３は扇状に広がっているので、これが回動移動しても揺動プレート４８は常に接続プレート５３上にある。したがって、接続プレート５３と揺動プレート４８とでサブ貯留部４５の供給口４６からシャッタ１２までの案内通路が常時形成されており、シャッタ１２が開かれると、パチンコ玉がこぼれることなくサブ貯留部４５から供給通路５の取り入れ口７へ供給可能となる。
バランスユニット１はこのように回動自在であるから、隣接する島の上部タンク４０間に張り渡される化粧樋６５と一直線になる方向に向きを設定して、当該化粧樋６５の端部を樋受け７０に支持させる。
【００３１】
シャッタ１２が閉じた状態で樋作動レバー２５の先端が低位置にあるときは、図１５の（ａ）のように、化粧樋６５上のバランス樋６０の端部と樋作動レバー２５の横部材２６とは離間している。バランス樋６０の両端において樋作動レバーの横部材２６と離間している場合は、前述のように、バランス樋６０は化粧樋６５と平行な水平状態にある。
【００３２】
以上のように構成された上部タンク４０を備えた島間では、つぎのようにバランス制御が行われる。
各島３０の図示しない制御装置はそれぞれの不図示の貯留量センサからの信号を監視している。例えば、島３０Ａの制御装置が、その貯留量センサからの信号によって、貯留タンク３４の貯留量の合計が所定の下限値まで減少した状態になったことを検出すると、隣接の島３０Ｂの制御装置と通信して玉補給要求の指令を出力する。島３０Ｂの制御装置では、これに応じてモータ１９を駆動させる。
あるいはまた、島３０Ｂにおける貯留量が所定の上限値まで増大したときに、島３０Ｂの制御装置は隣接の島への放出のため、モータ１９を駆動させる。
【００３３】
これにより、シャッタ１２が開くと、接続プレート５３と揺動プレート４８とで形成された案内通路上、およびサブ貯留部４５にあったパチンコ玉が、供給通路５を自由落下して加速し、湾曲面８で水平方向へ案内されて吐出し口９からバランス樋６０上へ吐き出される。
シャッタ１２が開いて同時に樋作動レバー２５の先端が高位置になると、図１５の（ｂ）のように、樋作動レバー２５の横部材２６がバランス樋６０の端部を持ち上げ、これにより、バランス樋６０は中央部の２つの支点部材６２のうち持ち上げられた端部から遠い側の支点部材を支点として傾斜する。
【００３４】
加速されて吐出し口９から吐き出されるパチンコ玉は、吐出し口９が化粧樋６５と一直線になる方向に向いているから、バランス樋６０が延びる方向と一致し、速度を阻害されることがない。しかも、バランス樋６０が先下がりで傾斜するので、吐き出されたパチンコ玉はバランス樋６０上で滞留することなく、迅速確実に隣接する島側へ供給あるいは放出される。これにより、順次隣接する島間でのパチンコ玉の貯留量のバランスが促進される。
【００３５】
本実施の形態は以上のように構成され、シャッタ１２を介して上部タンク本体４１内からパチンコ玉を受け入れ可能な取り入れ口７と、受け入れたパチンコ玉をバランス樋６０上へ吐き出す吐出し口９とを有するバランスユニット１を、上部タンク本体４１に対して支持軸５６による上下の回転軸まわりに回動可能に設けるとともに、そのバランスユニット１でバランス樋６０を支持するものとしたので、隣接する島の各上部タンク４０の位置が互いの真正面からずれている場合にもなんらの障害なくバランス樋６０を斜めに張り渡すことができる。
【００３６】
また、上部タンク本体４１内には、とくにバランスユニット１の取り入れ口７に対応させた供給口４６を供えるサブ貯留部４５が設けられ、バランスユニット１はシャッタ１２の位置からサブ貯留部の供給口４６の下面と重なる位置まで延びる接続プレート５３を備え、供給口にはサイド壁４７にヒンジ連結された揺動プレート４８を設けてその先端を取り入れ口側のガイドブラケット５０に保持することにより、バランスユニット１の回動に伴う取り入れ口７の変位に追従して接続プレート５３上で揺動プレート４８が揺動して、接続プレート５３と揺動プレート４８とでサブ貯留部４５の供給口４６からシャッタ１２までの案内通路が常時形成され、パチンコ玉がこぼれることなく取り入れ口７へ供給される。
【００３７】
さらに、バランス樋６０は化粧樋６５内に支持され、バランスユニット１はシャッタ１２と連動して回動する樋作動レバー２５を備えるとともに、化粧樋６５の端部を支持し、シャッタ１２が開いたときに樋作動レバー２５がバランス樋６０の端部を持ち上げてバランス樋６０を自動的に傾斜させるようになっているから、パチンコ玉はバランス樋上に滞留することなく転動して他方の上部タンクへ滑らかに供給される
【００３８】
なお、実施の形態ではバランス樋６０の中間部の下面に長手方向に所定距離離間させた支点部材６２を備え、この支点部材を化粧樋６５の底壁に当接させて、バランス樋６０を当該化粧樋６５内で水平に配置し、樋作動レバー２５が回動したときその横部材２６がバランス樋６０の端部と係合して持ち上げるものとしたが、支点部材６２を廃してバランス樋６０の端部が常時樋作動レバーの横部材２６に支持されるものとしてもよい。
【００３９】
さらに、揺動プレート４８をサブ貯留部のサイド壁４７にヒンジ連結されたものとしたが、揺動プレート４８は供給通路のゲート壁１０にヒンジ連結してその先端を保持するガイド孔をサイド壁４７側に設けることとしてもよい。
また、実施の形態では互いに平行に配置されて面同士で対向している島間にバランス樋を配置した例について説明したが、これに限定されず、平行に配置した複数の島列からなる島群間で、島の長手方向に隣接する島の上部タンク間にバランス樋を配置する場合にも適用できる。
【図面の簡単な説明】
【００４０】
【図１】発明が適用される島の側面図である。
【図２】パチンコ店における島の配置例を示す図である。
【図３】図２におけるＡ−Ａ矢視図である。
【図４】バランスユニットまわりを示す上面図である。
【図５】化粧樋上のバランス樋の設置状態を示す断面図である。
【図６】上部タンク本体の上壁の一部および支持部の支持壁を切り欠いて示すバランスユニットまわりの平面図である。
【図７】バランスユニットまわりの縦断面図である。
【図８】バランスユニットを一部分解して示す斜視図である。
【図９】供給通路の斜視図である。
【図１０】駆動部の詳細を示す正面図である。
【図１１】フレームを取り外したバランスユニットとサブ貯留部を示す斜視図である。
【図１２】フレームを取り外したバランスユニットとサブ貯留部を示す斜視図である。
【図１３】フレームを取り外したバランスユニットとサブ貯留部を示す斜視図である。
【図１４】バランスユニットを回動させたときの状態変化を示す説明図である。
【図１５】樋作動レバーの回動に伴うバランス樋の変化を示す説明図である。
【符号の説明】
【００４１】
１        バランスユニット
２        フレーム
３        前壁
４        軸受け孔
５        供給通路
５ａ、５ｂ    板金部材
６、１７    フランジ部
７        取り入れ口
８        湾曲面
９        吐出し口
１０      ゲート壁
１２      シャッタ
１３      樹脂板
１５      駆動部
１６      取付部材
１６ａ    主壁
１６ｂ    側壁
１８      長穴
１９      モータ
２０      スライド部材
２０ａ    底壁
２０ｂ    側壁
２１      ローラピン
２２      回動アーム
２３      リンクレバー
２５      樋作動レバー
２６、２７    横部材
３０、３０Ａ、３０Ｂ、３０Ｃ    島
３２      パチンコ台
３４      貯留タンク
３７      玉揚送装置
４０、４０Ａ、４０Ｂ、４０Ｃ    上部タンク
４１      上部タンク本体
４２      支持部
４２ａ    上支持壁
４２ｂ    下支持壁
４３      メイン貯留部
４４      ガイド板
４５      サブ貯留部
４６      供給口
４７      サイド壁
４８      揺動プレート
５０      ガイドブラケット
５１      ガイド孔
５３      接続プレート
５６      支持軸
６０、６０ＡＢ、６０ＢＣ    バランス樋
６２      支点部材
６５      化粧樋
６６      底壁
７０      樋受け
１００    壁
１０２    柱部
【図１】
2005278695.tif 000003
【図２】
2005278695.tif 000004
【図３】
2005278695.tif 000005
【図４】
2005278695.tif 000006
【図５】
2005278695.tif 000007
【図６】
2005278695.tif 000008
【図７】
2005278695.tif 000009
【図８】
2005278695.tif 000010
【図９】
2005278695.tif 000011
【図１０】
2005278695.tif 000012
【図１１】
2005278695.tif 000013
【図１２】
2005278695.tif 000014
【図１３】
2005278695.tif 000015
【図１４】
2005278695.tif 000016
【図１５】
2005278695.tif 000017